(57)【要約】【課題】電池容量を容易に調整することができる蓄電素子ユニットを提供する。【解決手段】蓄電素子ユニットは、収納箱と、収納箱に収容され、電気的に直列に接続されている複数の蓄電素子群と、を備える。蓄電素子群は、他の蓄電素子群と電気的に接続され、面方向に広がる少なくとも１つの蓄電素子体と、蓄電素子体と同一の面方向に広がる少なくとも１つのダミー体と、を有する。蓄電素子体及びダミー体は、面方向に直交する厚み方向において同一の厚みを有している。【選択図】図８
2020170617.tif 000002
【特許請求の範囲】
【請求項１】
収納箱と、
前記収納箱に収容され、電気的に直列に接続されている複数の蓄電素子群と、を備え、
前記蓄電素子群は、他の前記蓄電素子群と電気的に接続され、面方向に広がる少なくとも１つの蓄電素子体と、前記蓄電素子体と同一の面方向に広がる少なくとも１つのダミー体と、を有し、
前記蓄電素子体及び前記ダミー体は、前記面方向に直交する厚み方向において同一の厚みを有する、蓄電素子ユニット。
【請求項２】
前記蓄電素子体及び前記ダミー体は、前記厚み方向に並んでいる、請求項１に記載の蓄電素子ユニット。
【請求項３】
前記蓄電素子体及び前記ダミー体は、前記厚み方向において接触している、請求項２に記載の蓄電素子ユニット。
【請求項４】
前記蓄電素子群は、前記厚み方向において前記蓄電素子体と前記ダミー体との間に位置する中間部材を有する、請求項２に記載の蓄電素子ユニット。
【請求項５】
前記複数の蓄電素子群の少なくとも一部は、前記厚み方向に並んでいる、請求項１乃至４のいずれか一項に記載の蓄電素子ユニット。
【請求項６】
前記複数の蓄電素子群の少なくとも一部は、前記厚み方向に交差する方向に並んでいる、請求項１乃至５のいずれか一項に記載の蓄電素子ユニット。
【請求項７】
前記蓄電素子群は、互いに電気的に並列に接続されている複数の前記蓄電素子体を有する、請求項１乃至６のいずれか一項に記載の蓄電素子ユニット。
【請求項８】
各蓄電素子群における前記蓄電素子体の数が同一であり、各蓄電素子群における前記ダミー体の数が同一である、請求項１乃至７のいずれか一項に記載の蓄電素子ユニット。
【請求項９】
前記蓄電素子体及び前記ダミー体は、前記面方向において同一の寸法を有する、請求項１乃至８のいずれか一項に記載の蓄電素子ユニット。蓄電素子群蓄電素子
【請求項１０】
蓄電素子ユニットの設計方法であって、
前記蓄電素子ユニットは、
収納箱と、
前記収納箱に収容され、電気的に直列に接続されている複数の蓄電素子群と、を備え、
前記蓄電素子群は、他の前記蓄電素子群と電気的に接続されている少なくとも１つの蓄電素子体と、少なくとも１つのダミー体と、を有し、
前記設計方法は、
蓄電素子ユニットの目標電気容量に関する情報を取得する工程と、
前記目標電気容量を満たすように各蓄電素子群における前記蓄電素子体の数及び前記ダミー体の数を決定する工程と、を備える、設計方法。
【請求項１１】
前記蓄電素子体及び前記ダミー体は、同一の面方向に広がり、且つ前記面方向に直交する厚み方向において同一の厚みを有する、請求項１０に記載の設計方法。
【請求項１２】
前記蓄電素子体及び前記ダミー体は、前記厚み方向に並んでいる、請求項１１に記載の設計方法。
【発明の詳細な説明】
【技術分野】
【０００１】
本発明は、蓄電素子ユニット及び蓄電素子ユニットの設計方法に関する。
【背景技術】
【０００２】
例えば特許文献１で提案されているように、複数の蓄電素子モジュールを有する蓄電素子ユニットが知られている。複数の蓄電素子モジュールは、積み重ねられた状態で収納箱に収容されている。この場合、収納箱に収容される蓄電素子モジュールの数を変更することにより、蓄電素子ユニットの電池容量を調整することができる。
【先行技術文献】
【特許文献】
【０００３】
【特許文献１】特開２０１８−１８１７８２号公報
【発明の概要】
【発明が解決しようとする課題】
【０００４】
一般に、蓄電素子ユニットの電池容量が大きいほど、蓄電素子ユニットのコストも高くなる。このため、過剰に大きい電池容量を有する蓄電素子ユニットを用いることは、無駄なコストを生じさせる。従って、用途に応じて蓄電素子ユニットの電池容量を適切に調整することが好ましい。一方、収納箱に収容される蓄電素子モジュールの数を変更して蓄電素子ユニットの電池容量を調整する場合、収納箱の新たな開発が必要になり、設計コストが嵩んでしまうことが考えられる。
【０００５】
本発明は、このような課題を効果的に解決し得る蓄電素子ユニット及び蓄電素子ユニットの設計方法を提供することを目的とする。
【課題を解決するための手段】
【０００６】
本発明による蓄電素子ユニットは、
前記収納箱に収容され、電気的に直列に接続されている複数の蓄電素子群と、を備え、
前記蓄電素子群は、他の前記蓄電素子群と電気的に接続され、面方向に広がる少なくとも１つの蓄電素子体と、前記蓄電素子体と同一の面方向に広がる少なくとも１つのダミー体と、を有し、
前記蓄電素子体及び前記ダミー体は、前記面方向に直交する厚み方向において同一の厚みを有する、蓄電素子ユニットである。
【０００７】
本発明による蓄電素子ユニットにおいて、前記蓄電素子体及び前記ダミー体は、前記厚み方向に並んでいてもよい。
【０００８】
本発明による蓄電素子ユニットにおいて、前記蓄電素子体及び前記ダミー体は、前記厚み方向において接触していてもよい。
【０００９】
本発明による蓄電素子ユニットにおいて、前記蓄電素子群は、前記厚み方向において前記蓄電素子体と前記ダミー体との間に位置する中間部材を有していてもよい。
【００１０】
本発明による蓄電素子ユニットにおいて、前記複数の蓄電素子群の少なくとも一部は、前記厚み方向に並んでいてもよい。
【００１１】
本発明による蓄電素子ユニットにおいて、前記複数の蓄電素子群の少なくとも一部は、前記厚み方向に交差する方向に並んでいてもよい。
【００１２】
本発明による蓄電素子ユニットにおいて、前記蓄電素子群は、互いに電気的に並列に接続されている複数の前記蓄電素子体を有していてもよい。
【００１３】
本発明による蓄電素子ユニットにおいて、各蓄電素子群における前記蓄電素子体の数が同一であり、各蓄電素子群における前記ダミー体の数が同一であってもよい。
【００１４】
本発明による蓄電素子ユニットにおいて、前記蓄電素子体及び前記ダミー体は、前記面方向において同一の寸法を有していてもよい。
【００１５】
本発明による蓄電素子ユニットの設計方法は、
前記蓄電素子ユニットは、
収納箱と、
前記収納箱に収容され、電気的に直列に接続されている複数の蓄電素子群と、を備え、
前記蓄電素子群は、他の前記蓄電素子群と電気的に接続されている少なくとも１つの蓄電素子体と、少なくとも１つのダミー体と、を有し、
前記設計方法は、
蓄電素子ユニットの目標電気容量に関する情報を取得する工程と、
前記目標電気容量を満たすように各蓄電素子群における前記蓄電素子体の数及び前記ダミー体の数を決定する工程と、を備える、設計方法である。
【００１６】
本発明による蓄電素子ユニットの設計方法において、前記蓄電素子体及び前記ダミー体は、同一の面方向に広がり、且つ前記面方向に直交する厚み方向において同一の厚みを有していてもよい。
【００１７】
本発明による蓄電素子ユニットの設計方法において、  前記蓄電素子体及び前記ダミー体は、前記厚み方向に並んでいてもよい。
【発明の効果】
【００１８】
本発明によれば、蓄電素子ユニットの電池容量を容易に調整することができる。
【図面の簡単な説明】
【００１９】
【図１】図１は、一実施の形態を説明するための図であって、蓄電素子ユニットを示す斜視図である。
【図２】図２は、図１の蓄電素子ユニットの内部を示す斜視図である。
【図３】図３は、図１の蓄電素子ユニットの収納箱内に配置された蓄電素子モジュール組合体及び蓄電素子モジュールを示す斜視図である。
【図４】図４は、図３の蓄電素子モジュール組合体を示す側面図であって、蓄電素子モジュール組合体を第２方向から示している。
【図５】図５は、図３の蓄電素子モジュール組合体に含まれる蓄電素子モジュールを示す斜視図である。
【図６】図６は、図５の蓄電素子モジュールを示す斜視図であって、蓄電素子モジュール第１方向における逆側から示している。
【図７】図７は、図５の蓄電素子モジュールに含まれる積層体を示す斜視図である。
【図８】図８は、図７の複数の蓄電素子体についての電気的な接続を説明するための図である。
【図９】図９は、図７に示された積層体の一つの蓄電素子体を示す斜視図である。
【図１０】図１０は、図５の蓄電素子モジュールを示す斜視図であって、カバーをケースから取り外した状態を示している。
【図１１】図１１は、図５の蓄電素子モジュールの主たる構成を模式的に示す構成図である。
【図１２】図１２は、図５の蓄電素子モジュールの内部を拡大して示す部分斜視図である。
【図１３】図１３は、図５の蓄電素子モジュールに含まれるケースを示す斜視図である。
【図１４】図１４は、図１３の部分拡大図である。
【図１５】図１５は、一変形例に係る蓄電素子モジュールの主たる構成を模式的に示す構成図である。
【図１６】図１６は、一変形例に係る蓄電素子モジュールの主たる構成を模式的に示す構成図である。
【図１７】図１７は、一変形例に係る蓄電素子モジュールの主たる構成を模式的に示す構成図である。
【発明を実施するための形態】
【００２０】
以下、図面に示された具体例を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２１】
図１〜図１２は、本発明による一実施の形態を説明するための図である。このうち、図１は、蓄電素子ユニット１０を示す斜視図であり、図２は、蓄電素子ユニットの内部を示す斜視図であり、図３は、蓄電素子ユニットに含まれる蓄電素子モジュール２０を示す斜視図である。蓄電素子ユニット１０は、充放電が可能な二次電池ユニットとして用いられる。図示された蓄電素子ユニット１０は、例えば、住宅や公共施設等の建物に適用され、建物の配線と電気的に接続されて建物内に設置された電気装置の電源として機能する。
【００２２】
図１及び図２に示すように、蓄電素子ユニット１０は、収納箱１１と、収納箱１１内に収納された制御モジュール１４及び複数の蓄電素子モジュール２０と、を有している。収納箱１１は、フレーム１２と、フレーム１２に固定されたパネル１３と、を有している。フレーム１２は、例えば金属製または樹脂製であり、或る程度の強度を有している。フレーム１２は、制御モジュール１４及び蓄電素子モジュール２０の配置空間を形成している。パネル１３は、例えば樹脂製または金属製の板状の部材である。パネル１３は、制御モジュール１４及び蓄電素子モジュール２０の配置空間を閉鎖している。
【００２３】
制御モジュール１４は、例えば、複数の蓄電素子モジュール２０の充電及び放電を制御する機能、蓄電素子モジュール２０の充電状態（例えば充電量）を監視する機能、蓄電素子モジュール２０の異常の有無を監視する機能の一以上を有する。また、制御モジュール１４は、蓄電素子ユニット１０の外部に設置された制御装置に、蓄電素子モジュール２０の充電状態や異常の有無の監視結果などの情報を、送信するようにしてもよい。また、制御モジュール１４は、蓄電素子ユニット１０の外部の配線（例えば、建物の配線）と、蓄電素子モジュール２０と、の間の電気的接続および遮断を切り替える開閉器を有するようにしてもよい。
【００２４】
図２では、上面と前面のパネルを取り外した状態で、蓄電素子ユニット１０を示している。図示された蓄電素子ユニット１０において、また、図３では、複数の蓄電素子モジュール２０を、収納箱１１に収容された状態にて、示している。図３に示すように、蓄電素子ユニット１０は、二つの蓄電素子モジュール組合体１５を有していてもよい。蓄電素子モジュール組合体１５は、第１方向ＤＡに積み重ねられた複数の蓄電素子モジュール２０を有している。二つの蓄電素子モジュール組合体１５は、第１方向ＤＡと非平行な第２方向ＤＢに並べて配列されている。
【００２５】
図示された例において、第１の蓄電素子モジュール組合体１５Ａは、第１方向ＤＡに積み重ねられた三つの蓄電素子モジュール２０を有する。第２の蓄電素子モジュール組合体１５Ｂは、第１の蓄電素子モジュール組合体１５Ａに第２方向ＤＢにおける一側ＳＢ１から隣接している。図２に示すように、第２の蓄電素子モジュール組合体１５Ｂは、第１方向ＤＡにおける一側ＳＡ１から制御モジュール１４を支持している。図４は、第１の蓄電素子モジュール組合体１５Ａを第２方向ＤＢにおける他側から示している。図５及び図６は、蓄電素子モジュール組合体１５に含まれる一つの蓄電素子モジュール２０を示している。蓄電素子ユニット１０に含まれる複数の蓄電素子モジュール２０は、互いに異なる構成を有していても良いし、互いに同一の構成を有していても良い。ただし、汎用性を向上させる観点から、複数の蓄電素子モジュール２０は、互いに同一の構成を有することが好ましく、少なくとも互いに同一の部品（例えば、後述する蓄電素子体３０、ケース４０、カバー６０、タブブロック７０、電極部材８０）を含むことが好ましい。図示された例において、複数の蓄電素子モジュール２０は、互いに同一の構成を有している。
【００２６】
なお、図面間での方向関係を明確化するため、いくつかの図面には、第１方向ＤＡ、第２方向ＤＢ及び第３方向ＤＣを図面間で共通する方向として矢印で示している。矢印の先端側が、各方向ＤＡ，ＤＢ，ＤＣの一側ＳＡ１，ＳＢ２，ＳＣ３となる。また、図面の紙面に垂直な方向に沿って紙面の奥に向かう矢印を、例えば図４に示すように、円の中にＸを設けた記号により示した。図面の紙面に垂直な方向に沿って紙面から手前に向かう矢印を、例えば後述する図８に示すように、円の中に点を設けた記号により示した。さらに、収納箱１１に収容される部品（例えば蓄電素子モジュール組合体１５や蓄電素子モジュール２０）等を示す図では、収納箱１１に収容された状態での方向および向きを示している。同様に、蓄電素子モジュール２０に含まれる各部品（例えば、後述する蓄電素子体３０、ケース４０、カバー６０、タブブロック７０、電極部材８０）等を示す図では、収納箱１１に収容された蓄電素子モジュール２０に組み込まれた状態での方向および向きを示している。
【００２７】
図示された例において、第１方向ＤＡ、第２方向ＤＢ及び第３方向ＤＣは、互いに垂直な関係にある。また、第１方向ＤＡは鉛直方向と平行になっている。第１方向ＤＡにおける一側ＳＡ１は、鉛直方向における下側となり、第１方向ＤＡにおける一側とは反対側となる他側は、鉛直方向における上側となる。
【００２８】
蓄電素子モジュール２０は、収容体１８と、収容体１８に収容されている積層体とを有する。図７は、収容体１８に収容されている積層体を示す斜視図である。図７に示すように、蓄電素子モジュール２０の積層体は、厚み方向に積層されている複数の蓄電素子体３０を有する。本実施の形態において、蓄電素子モジュール２０の厚み方向は、第１方向ＤＡと平行になっている。また、図７には示されていないが、蓄電素子モジュール２０の積層体は、蓄電素子体３０の間に位置するダミー体３６を有する。各蓄電素子体３０は、互いに同一の構成を有していることが好ましい。同様に、各ダミー体３６は、互いに同一の構成を有していることが好ましい。
【００２９】
蓄電素子体３０は、所定の出力電圧を有する二次電池であり、例えばリチウムイオン二次電池である。ダミー体３６は、蓄電素子体３０を構造的に代替する部材であり、蓄電素子モジュール２０の電気的な特性には寄与しない。後述するように、ダミー体３６は、蓄電素子モジュール２０に求められる電池容量が、収容体１８に収容可能な蓄電素子体３０の最大数（以下、最大収容数とも称する）の蓄電素子体３０が収容体１８に収容されている場合に実現される電池容量よりも小さい場合に、蓄電素子モジュール２０に設けられ得る。ダミー体３６は、蓄電素子体３０と同様の構造的な特徴を有する。構造的な特徴とは、例えば、厚み方向における寸法（以下、単に厚みとも称する）であり、ダミー体３６は、厚み方向において蓄電素子体３０と同一の厚みを有する。ダミー体３６としては、例えば、絶縁性を有する材料によって構成された板状の部材を用いることができる。
【００３０】
図８は、蓄電素子モジュール２０の複数の蓄電素子体３０についての電気的な接続を説明するための図である。蓄電素子モジュール２０の複数の蓄電素子体３０の少なくとも一部は、互いに電気的に直列に接続されている。図８の例では、８個の蓄電素子体３０がそれぞれ直列に接続されている。この場合、８個のダミー体３６が、互いに直列に接続されている蓄電素子体３０のそれぞれに対応するよう配置される。後述する変形例で示すように、電気的に並列に接続されている複数の蓄電素子体３０の群が複数存在し、各群が互いに電気的に直列に接続されていてもよい。この場合、ダミー体３６は、電気的に並列に接続されている蓄電素子体３０の複数の群のそれぞれに対応して配置される。
【００３１】
以下の説明において、電気的に直列に接続されている１つ又は一群の蓄電素子体３０を基準として、蓄電素子モジュール２０に含まれる蓄電素子体３０及びダミー体３６を区画した単位のことを、蓄電素子群２８とも称する。図８に示す例において、１つの蓄電素子群２８は、１つの蓄電素子体３０と、厚み方向において蓄電素子体３０に並ぶ１つのダミー体３６と、を有している。各蓄電素子群２８における蓄電素子体３０の数は同一であり、各蓄電素子群２８におけるダミー体３６の数も同一である。図８には８個の蓄電素子群２８が示されている。１つの蓄電素子群２８の蓄電素子体３０は、他の蓄電素子群２８の蓄電素子体３０と電気的に直列に接続されている。従って、複数の蓄電素子群２８は、互いに直列に接続されていると言える。
【００３２】
各蓄電素子群２８は、所定の出力電圧を有している。蓄電素子モジュール２０の出力電圧は、直列に接続されている蓄電素子群２８の出力電圧の総和に相当する。従って、直列に接続されている蓄電素子群２８の数を変更することにより、蓄電素子モジュール２０の出力電圧を調整することができる。なお、上述のように、ダミー体３６は、絶縁性を有する材料などによって構成されており、このためダミー体３６は、蓄電素子群２８の電気的な特性に寄与しない。蓄電素子群２８の電気的な特性は、蓄電素子群２８に含まれている蓄電素子体３０によって定まる。例えば、蓄電素子群２８の出力電圧は、蓄電素子群２８に含まれる蓄電素子体３０の出力電圧に等しい。
【００３３】
ダミー体３６は、蓄電素子体３０と同一の厚みを有している。このため、ダミー体３６は、蓄電素子体３０の厚みに関しては、ダミー体３６の位置に蓄電素子体３０が配置されていると仮定した場合と同様に機能する。例えば、１つの蓄電素子体３０及び１つのダミー体３６を含む蓄電素子群２８の厚みは、２つの蓄電素子体３０を含む蓄電素子群２８の厚みと同一である。また、ダミー体３６が蓄電素子体３０と同一の長さや幅を有している場合、長さや幅に関してもダミー体３６は蓄電素子体３０を代替し得る。このように、ダミー体３６は、構造的な特徴に関しては蓄電素子体３０を代替し得る。
【００３４】
また、各蓄電素子群２８は、所定の電池容量を有している。蓄電素子群２８の電池容量は、蓄電素子群２８において並列に接続されている蓄電素子体３０の電池容量の総和に相当する。従って、並列に接続されている蓄電素子体３０の数を変更することにより、蓄電素子群２８の電池容量を調整することができる。例えば図８の例では、各蓄電素子群２８に含まれているダミー体３６を蓄電素子体３０に置き換えることにより、各蓄電素子群２８の電池容量を増加させることができる。これにより、蓄電素子モジュール２０全体の電池容量を増加させることができる。
【００３５】
次に、蓄電素子体３０の具体的な構造の一例について説明する。図９は、蓄電素子体３０を示す斜視図である。図９に示すように、蓄電素子体３０は、面方向に広がる偏平形状を有していてもよい。本実施の形態において、蓄電素子体３０の面は、上述の第２方向ＤＢ及び第３方向ＤＣに沿って広がっている。また、蓄電素子体３０は、平面視において（第１方向ＤＡからの観察において）、略矩形形状を有していてもよい。蓄電素子体３０は、第２方向ＤＢに短手方向を有し、第３方向ＤＣに長手方向を有している。
【００３６】
蓄電素子体３０は、正極板および負極板を含む複数の電極板３２と、複数の電極板３２を収容する外装体３３と、電極板３２と電気的に接続して外装体３３の外部まで延び出した一対のタブ３５と、を有している。一対のタブ３５は、それぞれ正極端子または負極端子として機能する。なお、図示されたタブ３５は、外装体３３から延び出した基端部３５Ａと、基端部３５Ａに対して屈曲した先端部３５Ｂと、を有している。
【００３７】
図７〜図９に示すように、蓄電素子体３０は、中央に位置する中央部３１Ｃと、中央部３１Ｃを取り囲む周縁部３１Ｅと、を有していてもよい。中央部３１Ｃの厚みは、周縁部３１Ｅの厚みよりも厚くなっている。図示された例において、蓄電素子体３０は、中央部３１Ｃにおいて、第１方向ＤＡにおけるいずれか一方の側に向けて膨出している。ダミー体３６も蓄電素子体３０と同様に、中央に位置する中央部３１Ｃと、中央部３１Ｃを取り囲む周縁部３１Ｅと、を有していてもよい。厚み方向において隣接する蓄電素子体３０及びダミー体３６、又は、厚み方向において隣接する２つの蓄電素子体３０は、中央部３１Ｃが少なくとも部分的に互いに厚み方向に（第１方向ＤＡに）対面するよう、積層されている。
【００３８】
蓄電素子体３０及びダミー体３６は、第２方向ＤＢにおける中心を通過する第１方向ＤＡ及び第３方向ＤＣに沿った面を基準面として概ね対称的な構成を有していてもよい。また、蓄電素子体３０及びダミー体３６は、第３方向ＤＣにおける中心を通過する第１方向ＤＡ及び第２方向ＤＢに沿った面を基準面として概ね対称的な構成を有していてもよい。
【００３９】
蓄電素子体３０の外装体３３は、第１外装材３４Ａ及び第２外装材３４Ｂを有していてもよい。第１外装材３４Ａ及び第２外装材３４Ｂは、周状の縁部において互いに接続、例えば熱溶着されている。第１外装材３４Ａは、膨出部３４ＡＰを有している。第１外装材３４Ａ及び第２外装材３４Ｂは、第１外装材３４Ａの内部に電極板３２を収容する空間を形成している。また、膨出部３４ＡＰは、蓄電素子体３０の中央部３１Ｃを画成している。その一方で、第２外装材３４Ｂは、平坦な板状に形成されている。タブ３５は、第１外装材３４Ａ及び第２外装材３４Ｂの間を通過して、外装体３３の外部まで延び出ている。外装体３３は、平面視において（第１方向ＤＡからの観察において）、略矩形形状を有している。外装体３３は、第２方向ＤＢに短手方向を有し、第３方向ＤＣに長手方向を有している。
【００４０】
第１外装材３４Ａは、例えば、エンボス加工によって、膨出部３４ＡＰを形成される。一般的に、第１外装材３４Ａ及び第２外装材３４Ｂは、金属層と、金属層の内側に積層された内側層と、を有している。内側層は、絶縁性を有した層であって、好ましくは熱可塑性を有している。熱可塑性を有した内側層が互いに対面するようにして積層された第１外装材３４Ａ及び第２外装材３４Ｂを加熱および加圧することで、第１外装材３４Ａ及び第２外装材３４Ｂを周縁部３１Ｅにおいて熱溶着することができる。また、第１外装材３４Ａ及び第２外装材３４Ｂが金属層を含むことで、外装体３３に剛性を付与することができる。その一方で、金属層を含む外装体３３に、他の蓄電素子体３０のタブ３５が接触することで、意図しない短絡等が生じ得る。ただし、本実施の形態においては、このような短絡が生じさせないための工夫が成されている。具体的には、後述するタブブロック７０及び電極部材８０が設けられている。
【００４１】
ダミー体３６は、蓄電素子体３０と同様の外装体３３を有していてもよく、有していなくてもよい。
【００４２】
次に、蓄電素子体３０及びダミー体３６の配置の一例について説明する。図８に示すように、蓄電素子体３０及びダミー体３６は、厚み方向において互いに接するように並んでいてもよい。また、蓄電素子体３０及びダミー体３６は、両者の接触面を基準として厚み方向において対称的な形状を有いていてもよい。また、蓄電素子体３０及びダミー体３６を含む蓄電素子群２８も、厚み方向において並んでいてもよい。この場合、厚み方向において隣接する２つの蓄電素子群２８は、互いに接していてもよく、接していなくてもよい。
【００４３】
以下、蓄電素子体３０の寸法について詳細に説明する。ダミー体３６は、蓄電素子体３０の厚みＴ１と同一の厚みＴ２を有する。「厚みが同一」とは、ダミー体３６の厚みＴ２が、０．８×Ｔ１以上且つ１．２×Ｔ１以下であることを意味する。また、ダミー体３６は、蓄電素子体３０の長さＬ１と同一の長さＬ２を有していてもよい。「長さが同一」とは、ダミー体３６の長さＬ２が、０．８×Ｌ１以上且つ１．２×Ｌ１以下であることを意味する。「長さ」とは、第３方向ＤＣにおける寸法である。また、ダミー体３６は、蓄電素子体３０の幅Ｗ１と同一の幅Ｗ２を有していてもよい。「幅が同一」とは、ダミー体３６の幅Ｗ２が、０．８×Ｗ１以上且つ１．２×Ｗ１以下であることを意味する。「幅」とは、第２方向ＤＢにおける寸法である。
【００４４】
次に、蓄電素子モジュール２０の構成の一例について更に詳述する。
【００４５】
図１０〜図１２に示すように、蓄電素子モジュール２０は、複数のセルを収容するための収容体１８として、ケース４０及びカバー６０を有している。カバー６０は、ケース４０に取り外し可能となっている。また、蓄電素子モジュール２０は、ケース４０に保持されたタブブロック７０及び電極部材８０と、ケース４０に固定された第１端部カバー２１及び第２端部カバー２２と、を有している。なお、図示された例において、複数の蓄電素子群２８を収容する蓄電素子モジュール２０の収容体１８は、主たる構成要素として、第１端部カバー２１、第２端部カバー２２、ケース４０、カバー６０、タブブロック７０及び電極部材８０を含んでいる。
【００４６】
ここで、図１０は、カバー６０をケース４０から取り外した状態で蓄電素子モジュール２０を示す斜視図であり、図１１は、蓄電素子モジュール２０の主たる構成を模式的に示す側面図である。また、図１２は、第１端部カバー２１及びカバー６０を取り外した状態で、蓄電素子モジュール２０の第１端部カバー２１及びカバー６０によって覆われる部分を示す斜視図である。また、図１３は、ケース４０を示す斜視図である。
【００４７】
複数の蓄電素子群２８を収容するケース４０は、全体的な構成として、第１方向ＤＡにおける一側ＳＡ１から複数の蓄電素子群２８を支持する底部４２と、底部４２から第１方向ＤＡに立ち上がった側壁部４４と、を有している。ケース４０は、第１方向ＤＡにおける他側に開口している。すなわち、ケース４０は、底部４２に対面する位置に開口部４０ａを有している。側壁部４４は、第２方向ＤＢ及び第３方向ＤＣから蓄電素子体３０蓄電素子群２８を取り囲む。より具体的には、側壁部４４は、第１方向ＤＡからの観察によって、蓄電素子群２８の外縁に沿って延びている。ただし、側壁部４４には切欠Ｃが設けられている。切欠Ｃは、側壁部４４のうちの第２方向ＤＢに沿って延びる切欠形成壁部４５に設けられている。そして、タブ３５は切欠Ｃ内に延び入っている。
【００４８】
側壁部４４は、第１方向ＤＡに直行する方向、例えば第２方向ＤＢや第３方向ＤＣから蓄電素子群２８に対面している。側壁部４４は、第１方向ＤＡに直行する方向、例えば第２方向ＤＢや第３方向ＤＣに沿った、ケース４０に対する蓄電素子群２８の相対移動を規制する。これにより、複数の蓄電素子群２８を安定してケース４０内に保持することができる。一方、ケース４０は、第１方向ＤＡに開口部４０ａを有しており、ケース４０に対する蓄電素子群２８の第１方向ＤＡにおける相対移動を許容する。
【００４９】
カバー６０は、第１方向ＤＡに移動可能にケース４０に保持されて、ケース４０の開口部４０ａを覆う。カバー６０は、ケース４０に収容された蓄電素子群２８を第１方向ＤＡにおける他側から覆う。
【００５０】
図１０に示すように、カバー６０は、カバー本体６１と、カバー本体６１から延び出した固定部６２と、を有している。固定部６２は、ケース４０の側壁部４４に設けられた受け部４９と係合可能となっている。固定部６２が受け部４９と係合することで、カバー６０がケース４０によって保持される。図示された例において、固定部６２は、第１方向ＤＡに移動可能に受け部４９と係合する。
【００５１】
図１０に示すように、カバー６０は、第２方向ＤＢに離間した位置のそれぞれに固定部６２を有している。また、カバー６０は、第３方向ＤＣに離間した位置のそれぞれに固定部６２を有している。複数の固定部６２は、第１方向ＤＡに沿って側壁部４４に対面する位置に設けられている。図示された例において、側壁部４４の第３方向ＤＣに延びる部分のそれぞれに、四つの固定部６２が離間して設けられている。したがって、図示された例において、八つの固定部６２が一つのカバー６０に設けられている。
【００５２】
なお、第１方向ＤＡに隣り合う蓄電素子群２８が、接合層３８を介して互いに固定されていてもよい（図１１参照）。この例によれば、接合層３８を用いることで複数の蓄電素子群２８を安定してケース４０内に保持することができる。また、蓄電素子群２８の厚みに応じて接合層３８の厚みを変更することで、スペーサー等で間隔を調整することなく、蓄電素子群２８の厚みばらつきを効果的に緩和することができる。
【００５３】
カバー６０は、例えば絶縁性の材料を用いて形成される。カバー６０は、全体として、絶縁性の樹脂から一体的に成形され得る。同様に、ケース４０も、例えば絶縁性の材料を用いて形成される。ケース４０は、後述する部分も含めた全体として、絶縁性の樹脂から一体的に成形され得る。
【００５４】
次に、ケース４０の側壁部４４に設けられた切欠Ｃ及び切欠Ｃに関連する側壁部４４の構成について説明し、その後、タブブロック７０及び電極部材８０についても説明する。
【００５５】
例えば図１３に示すように、側壁部４４には、一対の切欠Ｃが設けられている。各切欠Ｃは、側壁部４４のうちの第２方向ＤＢに沿って延びる切欠形成壁部４５に形成されている。切欠Ｃは、対応する切欠形成壁部４５のうちの第２方向ＤＢにおける中心となる位置に、設けられている。図１０や図１２に示すように、蓄電素子体３０の一対のタブ３５は、ケース４０の内部空間から、切欠Ｃ内に延び入っている。なお、上述した蓄電素子体３０の形状の対称性によってケース４０内における蓄電素子体３０の配置によらず、一方のタブ３５が一方の切欠Ｃ内に入り、他方のタブ３５が他方の切欠Ｃ内に入る。より具体的には、蓄電素子体３０の中央部３１Ｃが第１方向ＤＡの一側ＳＡ１及び他側のいずれに向けて突出するかによらず、また、蓄電素子体３０の正極端子となるタブ３５が第２方向ＤＢにおける一側ＳＢ１及び他側のいずれに向けて延び出すかによらず、一方のタブ３５が一方の切欠Ｃ内に入り、他方のタブ３５が他方の切欠Ｃ内に入る。
【００５６】
図示された例において、側壁部４４は、切欠形成壁部４５に接続した切欠ガイド壁部４６を更に含んでいる。切欠ガイド壁部４６は、切欠形成壁部４５の切欠Ｃに隣接する位置から、第３方向ＤＣにおける外側に延び出している。言い換えると、切欠ガイド壁部４６は、ケース４０の蓄電素子体３０を収容する空間から離間する側に延び出している。切欠ガイド壁部４６は、第３方向ＤＣに延びている。一つの切欠Ｃに対して、当該切欠Ｃを第２方向ＤＢにおける両側に切欠ガイド壁部４６が設けられている。したがって、各タブ３５は、一対の切欠ガイド壁部４６の間に配置され、切欠ガイド壁部４６に案内されて第３方向ＤＣに延びる。このような切欠ガイド壁部４６によれば、ケース４０に蓄電素子群２８の蓄電素子体３０を安定して保持することが可能となる。とりわけ、端子として機能するタブ３５の位置が安定するので、蓄電素子モジュール２０及び蓄電素子ユニット１０の耐震性を効果的に向上させることができる。
【００５７】
図１４に示すように、各切欠ガイド壁部４６は、第１リブ４６ａ及び第２リブ４６ｂを有している。第１リブ４６ａ及び第２リブ４６ｂは、それぞれ、対応する切欠ガイド壁部４６の第２方向ＤＢにおける外側（第２方向ＤＢにおいてケース４０の中心から離間する側）の面に設けられている。第１リブ４６ａ及び第２リブ４６ｂは、それぞれ、対応する切欠ガイド壁部４６から第２方向ＤＢにおける外側に向けて突出している。第１リブ４６ａ及び第２リブ４６ｂは、第１方向ＤＡに延びている。図示された例において、第１リブ４６ａ及び第２リブ４６ｂは、切欠ガイド壁部４６の第１方向ＤＡに沿った全長に亘って延びている。第２リブ４６ｂは、第１リブ４６ａよりも第３方向ＤＣにおける外側（第２方向ＤＢにおいてケース４０の中心から離間する側、言い換えると第２方向ＤＢにおいてケース４０の蓄電素子体３０を収容する空間から離間する側）に位置している。第１リブ４６ａは、第３方向ＤＣにおいて切欠ガイド壁部４６と第２リブ４６ｂとの間に位置している。
【００５８】
このようなリブ４６ａ，４６ｂによって、切欠ガイド壁部４６に第１凹部４８ａ及び第２凹部４８ｂが形成されている。第１凹部４８ａは、切欠ガイド壁部４６と第１リブ４６ａの間に形成されている。第２凹部４８ｂは、第１リブ４６ａ及び第２リブ４６ｂの間に形成されている。第１凹部４８ａ及び第２凹部４８ｂは、第２方向ＤＢにおける外側（第２方向ＤＢにおいてケース４０の中心から離間する側）に開口している。したがって、第１凹部４８ａ及び第２凹部４８ｂの開口部に対向して切欠ガイド壁部４６が位置している。第１凹部４８ａ及び第２凹部４８ｂは、第２方向ＤＢに沿って延びている。図示された例において、第１凹部４８ａ及び第２凹部４８ｂは、切欠ガイド壁部４６の第１方向ＤＡに沿った全長に亘って延びている。
【００５９】
次に、タブブロック７０について説明する。タブブロック７０は、蓄電素子体３０の厚み方向である第１方向ＤＡに隣り合う二つの蓄電素子群２８のタブの間に配置される。タブブロック７０は、絶縁性の材料によって形成される。タブブロック７０は、例えば、樹脂成形物とすることができる。タブブロック７０は、第１方向ＤＡに隣り合って積層された二つの蓄電素子体３０のタブ３５の間を絶縁する。また、以下に説明するタブブロック７０は、ケース４０に対して蓄電素子体３０を位置決めする機能も有している。
【００６０】
なお、図１２に示すように、第１方向ＤＡに沿って延びる一つの第１凹部４８ａ内に、第１方向ＤＡに配列された複数のタブブロック７０の凸部７６が入っている。そして、ケース４０は、タブブロック７０の第１方向ＤＡへのケース４０に対する相対移動を許容し、タブブロック７０の第２方向ＤＢや第３方向ＤＣへのケース４０に対する相対移動を規制するようして、複数のタブブロック７０を保持している。
【００６１】
タブブロック７０は、絶縁性材料を用いて形成される。タブブロック７０の絶縁ベース部７１、内側部７２、外側部７３及び接続ガイド部７４は、絶縁性の樹脂を用いて一体的に成形されていてもよい。
【００６２】
ところで、図１１に模式的に示すように、タブブロック７０は、蓄電素子体３０の厚み方向である第１方向ＤＡに直交する方向に沿って蓄電素子体３０の中央部３１Ｃからずれた位置に設けられている。図示された例において、タブブロック７０は、第１方向ＤＡに直交する第３方向ＤＣに沿って中央部３１Ｃからずれた位置に設けられている。すなわち、タブブロック７０は、第１方向ＤＡへの投影において、蓄電素子体３０の中央部３１Ｃと重ならない。とりわけ図示された例において、タブブロック７０は、第１方向ＤＡへの投影において、蓄電素子体３０の周縁部３１Ｅのみと重なり合うようにして、絶縁されるべき隣り合う二つの蓄電素子体３０のタブ３５の間に位置している。
【００６３】
このように中央部３１Ｃからずれた位置において二つの蓄電素子群２８のタブ３５の間に絶縁性のタブブロック７０を介在させることによって、絶縁されるべき隣り合う二つの蓄電素子群２８のタブ３５を絶縁することができる。
【００６４】
また、ケース４０は、タブブロック７０の第１方向ＤＡへのケース４０に対する相対移動を許容する。その一方で、ケース４０は、タブブロック７０の第１方向ＤＡと非平行な方向、とりわけ第１方向ＤＡへ直交する第２方向ＤＢや第３方向ＤＣへのケース４０に対する相対移動を規制する。ケース４０がタブブロック７０をこのように支持することで、ケース４０に支持されたタブブロック７０が、蓄電素子体３０の厚みばらつきに追従して、蓄電素子体３０の厚み方向である第１方向ＤＡへ移動することができる。これにより、タブブロック７０を用いた絶縁を安定して確保することができる。
【００６５】
さらに、タブブロック７０は、少なくとも部分的にケース４０の側壁部４４に形成された切欠Ｃに配置されている。このような構成によれば、近接配置された隣り合う二つの蓄電素子体３０のタブ３５を、簡易な構成により、絶縁することができる。
【００６６】
さらに、タブブロック７０は側壁部４４によって支持され、蓄電素子体３０はタブブロック７０を支持する側壁部４４によって区画された空間に収容されている。したがって、近接配置された隣り合う二つの蓄電素子群２８のタブ３５を、簡易な構成により、安定して絶縁することができる。
【００６７】
さらに、側壁部４４は、蓄電素子体３０の厚み方向である第１方向ＤＡに延びる第１凹部４８ａを有し、タブブロック７０は、第１凹部４８ａに挿入され且つ第１凹部４８ａに対して第１方向ＤＡに相対移動可能な凸部７６を有している。このような構成によれば、タブブロック７０が、蓄電素子体３０やダミー体３６の厚みばらつきに追従して第１方向ＤＡへ移動することができる。これにより、簡易な構成を採用しながら安定して絶縁を確保することができる。
【００６８】
ただし、上述した例に限られず、タブブロック７０の接続突出片７５によって形成される凸部７６が、第１凹部４８ａではなく第２凹部４８ｂ内に挿入されるようにしてもよい。また、上述した例とは異なり、タブブロック７０が、蓄電素子体３０の厚み方向である第１方向ＤＡに延びる凹部を有し、側壁部４４が、凹部に挿入され且つ凹部に対して第１方向ＤＡに相対移動可能な凸部を有するようにしてもよい。これらの変形例によっても、同様の作用効果を奏することができる。
【００６９】
さらに、図示された例において、膨出部３４ＡＰを有する第１外装材３４Ａが第１方向ＤＡにおける一側ＳＡ１を向き第２外装材３４Ｂが第１方向ＤＡにおける他側を向く蓄電素子体３０を有する蓄電素子群２８と、第２外装材３４Ｂが第１方向ＤＡにおける一側ＳＡ１を向き第１外装材３４Ａが第１方向ＤＡにおける他側を向く蓄電素子体３０を有する蓄電素子群２８と、が第１方向ＤＡに交互に積層されている。そして、図１１に示すように、タブブロック７０は、第１外装材３４Ａが互いに対面するようにして積層された二つのセルの間に、配置されている。このような構成によれば、隣り合う二つの蓄電素子群２８のタブ３５の絶縁を確保しながら、当該二つの蓄電素子群２８の中央部３１Ｃが第１方向ＤＡに近接するように配置することができる。すなわち、積層された複数の蓄電素子群２８の第１方向ＤＡの厚みを薄くすることができる。また、複数の蓄電素子群２８の蓄電素子体３０及びダミー体３６の周縁部３１Ｅにおける撓みを防止して姿勢を保つことができる。これにより、二つの蓄電素子群２８の絶縁を安定して確保することができるとともに、蓄電素子体３０及びダミー体３６の意図しない損傷等を効果的に回避することができる。
【００７０】
なお、図１１に示すように、このような構成において、タブブロック７０の第１方向ＤＡに沿った厚みＴｘは、第１方向ＤＡにおける蓄電素子体３０の中央部３１Ｃにおける突出長さＬｘの二倍以下であることが好ましい。このような範囲にタブブロック７０の厚みＴｘを設定することで、蓄電素子モジュール２０の厚みを薄型化することが可能となる。また、蓄電素子体３０の周縁部３１Ｅにおける撓みを防止する観点から、タブブロック７０の第１方向ＤＡに沿った厚みＴｘは、第１方向ＤＡにおける蓄電素子体３０の中央部３１Ｃにおける突出長さＬｘより大きいことが好ましい。なお、図示された例において、第１方向ＤＡにおける蓄電素子体３０の中央部３１Ｃにおける突出長さＬｘは、第１外装材３４Ａの膨出部３４ＡＰにおける第１方向ＤＡへの突出長さに一致する。
【００７１】
タブブロック７０は、厚み方向において隣り合う２つの蓄電素子群２８のタブ３５のうち、電気的に接続されるべきでないタブの３５の間に配置されている。一方、電極部材８０は、厚み方向において隣り合う２つの蓄電素子群２８のタブ３５のうち、電気的に接続されるべきタブの３５の間に配置され、それらのタブ３５に電気的に接続されている。電極部材８０の第１方向ＤＡに沿った厚みは、タブブロック７０の絶縁ベース部７１の厚みより薄くなっていてもよい。また、図１１に示すように、電極部材８０は、第１方向ＤＡにおいて、タブブロック７０が配置されている領域内に位置していてもよい。すなわち、タブブロック７０は、外側部７３において電極部材８０の配置スペースを確保しながら、絶縁ベース部７１又は内側部７２において二つの蓄電素子群２８を第１方向ＤＡに互いにから離間させて、二つの蓄電素子群２８の蓄電素子体３０のタブ３５の絶縁を確保している。
【００７２】
ケース４０は、電極部材８０の第１方向ＤＡへのケース４０に対する相対移動を許容し、電極部材８０の第１方向ＤＡへ直交する方向へのケース４０に対する相対移動を規制するよう、電極部材８０を支持していてもよい。このような構成によれば、ケース４０に保持された電極部材８０が、蓄電素子体３０及びダミー体３６の厚みばらつきに追従して積層方向へ移動することができるので、電極部材８０を介して蓄電素子体３０との電気的接続を安定して確保することができる。
【００７３】
さらに、電極部材８０は、複数の蓄電素子体３０のタブ３５が通過する切欠Ｃを形成する側壁部４４によって支持されていてもよい。これにより、隣り合う二つの蓄電素子群２８の蓄電素子体３０のタブ３５を、簡易な構成により、電気的に接続することができる。また、タブ３５がケース４０の側壁部４４から延出しているので、蓄電素子体３０との電気的な接続を安定して確保することができる。
【００７４】
次に、本実施の形態に係る蓄電素子ユニット１０の設計方法について説明する。ここでは、蓄電素子ユニット１０の蓄電素子モジュール２０を構成する蓄電素子体３０及びダミー体３６を決定する方法について説明する。
【００７５】
まず、蓄電素子ユニット１０の各蓄電素子モジュール２０の目標電圧Ｖ１[V]に関する情報を取得する。また、蓄電素子体３０の出力電圧Ｖ２[V]に関する情報を取得する。続いて、目標電圧Ｖ１及び出力電圧Ｖ２に基づいて、蓄電素子モジュール２０において電気的に直列に接続されるべき蓄電素子群２８の数、すなわち、電気的に直列に接続されるべき蓄電素子体３０の数を決定する。例えば、目標電圧Ｖ１が出力電圧Ｖ２の８倍である場合、蓄電素子群２８の数を８個に決定する。
【００７６】
続いて、蓄電素子ユニット１０の各蓄電素子モジュール２０の目標電気容量Ｕ１[Wh]に関する情報を取得する。また、蓄電素子体３０の電気容量Ｕ２[Wh]に関する情報を取得する。続いて、目標電気容量Ｕ１及び電気容量Ｕ２に基づいて、各蓄電素子群２８において電気的に並列に接続されるべき蓄電素子体３０の数を決定する。例えば、目標電気容量Ｕ１が電気容量Ｕ２以下である場合、各蓄電素子群２８における蓄電素子体３０の数を１個に決定する。また、目標電気容量Ｕ１が、電気容量Ｕ２よりも大きく、且つ電気容量Ｕ２の２倍以下である場合、各蓄電素子群２８における蓄電素子体３０の数を２個に決定する。ここでは、目標電気容量Ｕ１が電気容量Ｕ２以下であり、各蓄電素子群２８における蓄電素子体３０の数が１個である場合について説明する。
【００７７】
続いて、少なくとも１個の蓄電素子体３０を含む蓄電素子群２８が電気的に直列に８個接続された積層体を収容可能な収容体１８を探索する。ここでは、電気的に並列に接続された２個の蓄電素子体３０を含む蓄電素子群２８が電気的に直列に８個接続された積層体を収容するよう構成された収容体１８（以下、２×８用の収容体１８とも称する）が既に開発済みであると仮定する。また、１個の蓄電素子体３０のみを含む蓄電素子群２８が電気的に直列に８個接続された積層体を収容するよう構成された収容体１８（以下、１×８用の収容体１８とも称する）は未だ開発されていないと仮定する。
【００７８】
この場合、２×８用の収容体１８を採用し、且つ各蓄電素子群２８が１つの蓄電素子体３０を有するよう複数の蓄電素子群２８を収容体１８に収容する場合、１つの蓄電素子群２８につき１つの蓄電素子体３０の分の空間が余ってしまう。これにより、収容体１８の内部における蓄電素子体３０の配置が不安定になることが考えられる。例えば、蓄電素子体３０に対する上述のタブブロック７０や電極部材８０の位置合わせが困難になることが考えられる。一方、２×８用の収容体１８を採用し、且つ、各蓄電素子群２８が２つの蓄電素子体３０を有するよう複数の蓄電素子群２８を収容体１８に収容する場合、蓄電素子モジュール２０の電池容量が目標電気容量Ｕ１よりも大きくなる。すなわち、蓄電素子モジュール２０の電池容量が過剰に大きくなり、無駄なコストが生じてしまう。
【００７９】
また、１×８用の収容体１８を採用する場合、１×８用の収容体１８新たに開発するためのコストが生じてしまう。
【００８０】
ここで本実施の形態においては、蓄電素子群２８が、蓄電素子体３０に加えて、蓄電素子体３０と同一の厚みを有するダミー体３６を備えている。このため、既に開発されている収容体１８を採用しながら、収容体１８の内部における各部材の配置を最適化することができる。例えば、２×８用の収容体１８を採用し、且つ、各蓄電素子群２８が１つの蓄電素子体３０及び１つのダミー体３６を有するよう複数の蓄電素子群２８を収容体１８に収容する。これにより、収容体１８の内部に余分な空間が生じることを抑制することができ、収容体１８の内部における各部材の配置が安定になる。また、余分な蓄電素子体３０が収容体１８に収容されていないので、蓄電素子体３０に関する無駄なコストが生じることを抑制できる。また、既に開発されている収容体１８を用いるので、収容体１８の開発費に関する無駄を抑制できる。
【００８１】
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００８２】
上述の実施の形態においては、各蓄電素子群２８において、厚み方向において蓄電素子体３０とダミー体３６とが接触している例を示した。しかしながら、これに限られることはなく、各蓄電素子群２８において、厚み方向において蓄電素子体３０とダミー体３６とが接触していなくてもよい。例えば図１５に示すように、蓄電素子群２８は、厚み方向において蓄電素子体３０とダミー体３６との間に位置する中間部材２９を有していてもよい。中間部材２９は、例えば、絶縁性を有する板状の部材である。中間部材２９は、中間部材２９の厚みとダミー体３６の厚みとの和が蓄電素子体３０の厚みと同一になるよう調整された厚みを有していてもよい。
【００８３】
また、上述の実施の形態においては、各蓄電素子群２８において、蓄電素子体３０とダミー体３６とが厚み方向において並んでいる例を示した。しかしながら、これに限られることはなく、蓄電素子体３０とダミー体３６とが、厚み方向に交差する方向に並んでいてもよい。例えば図１６に示すように、蓄電素子体３０とダミー体３６とが、第２方向ＤＢに並んでいてもよい。また、図示はしないが、蓄電素子群２８同士が、厚み方向に交差する方向に並んでいてもよい。この場合も、蓄電素子群２８同士は電気的に直列に接続されている。
【００８４】
また、上述の実施の形態においては、ダミー体３６を含む蓄電素子群２８に包含されている蓄電素子体３０の数が１である例を示した。しかしながら、これに限られることはなく、ダミー体３６を含む蓄電素子群２８が、複数の蓄電素子体３０を有していてもよい。例えば図１７に示すように、蓄電素子群２８は、厚み方向に並ぶ３つの蓄電素子体３０及び１つのダミー体３６を含んでいてもよい。この場合、各蓄電素子群２８の３つの蓄電素子体３０は、互いに電気的に接続されている。また、各蓄電素子群２８は互いに電気的に直列に接続されている。すなわち、１つの蓄電素子群２８に含まれる３つの蓄電素子体３０は、他の蓄電素子群２８に含まれる３つの蓄電素子体３０に電気的に直列に接続されている。
【００８５】
図１７に示す例において、蓄電素子モジュール２０の収容体１８に収容され得る蓄電素子群２８の数は８であるとする。この場合、収容体１８としては、電気的に並列に接続された４個の蓄電素子体３０を含む蓄電素子群２８が電気的に直列に８個接続された積層体を収容可能な収容体１８（以下、４×８用の収容体１８とも称する）が用いられる。
【００８６】
図１７に示す例において、蓄電素子モジュール２０の目標電気容量Ｕ１[Wh]は、１つの蓄電素子体３０の電気容量Ｕ２の２倍よりも大きく、且つ１つの蓄電素子体３０の電気容量Ｕ２の３倍以下である。この場合、各蓄電素子群２８に包含される蓄電素子体３０の数は３個であることが好ましい。一方、収容体１８が想定している各蓄電素子群２８の蓄電素子体３０の数は４個である。この場合、図１７に示すように、各蓄電素子群２８に３個の蓄電素子体３０及び１個のダミー体３６を設ける。これにより、これにより、収容体１８の内部に余分な空間が生じることを抑制することができる。また、各蓄電素子群２８が４個の蓄電素子体３０を有する場合に比べて、蓄電素子体３０に関する無駄なコストが生じることを抑制できる。
【００８７】
なお、以上において上述した実施の形態に対するいくつかの変形例を説明してきたが、当然に、複数の変形例を適宜組み合わせて適用することも可能である。
【符号の説明】
【００８８】
ＤＡ   第１方向
ＳＡ１ 一側
ＤＢ   第２方向
ＳＢ１ 他側
ＤＣ   第３方向
ＳＣ１ 一側
Ｃ     切欠
Ｖ     空隙
１０   蓄電素子ユニット
１１   収納箱
１２   フレーム
１３   パネル
１４   制御モジュール
１５   蓄電素子モジュール組合体
１５Ａ 第１の蓄電素子モジュール組合体
１５Ｂ 第２の蓄電素子モジュール組合体
１８   収容体
２０   蓄電素子モジュール
２０Ａ 第１の蓄電素子モジュール
２０Ｂ 第２の蓄電素子モジュール
２１   第１端部カバー
２２   第２端部カバー
２５   伝熱部材
２８   蓄電素子群
３０   蓄電素子体
３１Ｅ 周縁部
３１Ｃ 中央部
３２   電極板
３３   外装体
３４Ａ 第１外装材
３４ＡＰ      膨出部
３４Ｂ 第２外装材
３５   タブ
３５Ａ 基端部
３５Ｂ 先端部
３６   ダミー体
３８   接合層
４０   ケース
４０ａ 開口部
４２   底部
４４   側壁部
４５   切欠形成壁部
４６   切欠ガイド壁部
４６ａ 第１リブ
４６ｂ 第２リブ
４８ａ 第１凹部
４８ｂ 第２凹部
４９   受け部
６０   カバー
６１   カバー本体
６２   固定部
７０   タブブロック
７１   絶縁ベース部
７２   内側部
７３   外側部
７４   接続ガイド部
７５   接続突出片
７６   凸部
８０   電極部材
【図１】
2020170617.tif 000003
【図２】
2020170617.tif 000004
【図３】
2020170617.tif 000005
【図４】
2020170617.tif 000006
【図５】
2020170617.tif 000007
【図６】
2020170617.tif 000008
【図７】
2020170617.tif 000009
【図８】
2020170617.tif 000010
【図９】
2020170617.tif 000011
【図１０】
2020170617.tif 000012
【図１１】
2020170617.tif 000013
【図１２】
2020170617.tif 000014
【図１３】
2020170617.tif 000015
【図１４】
2020170617.tif 000016
【図１５】
2020170617.tif 000017
【図１６】
2020170617.tif 000018
【図１７】
2020170617.tif 000019